(57)【要約】【課　　題】トンネルなどの二次覆工に使用される、該パネルを補強するための仮設梁部材の着脱形態に起因した問題点、即ち、支保工に対する取付けや取外しに手間と時間がかかるという難点を解消できる着脱構造を付与した二次覆工用パネルを補強するための仮設梁を提供すること。【解決手段】二次覆工用パネル３の左右側部を支持している左右の支保工２における支持辺間の距離と略同長に形成した梁部材の左右の両端部に、中間部が当該梁部材に軸止めされ、その軸８より先端側が前記支持辺２ａ，２ｂの裏面に係止される掛鉤部７ａに形成されると共に、前記軸８より後端側がレバー部７ｂに形成された係止部材７を、それぞれ設けたこと。【選択図】　　図５
2004068520.tif 000002
【特許請求の範囲】
【請求項１】
二次覆工用パネルの左右側部を支持している左右の支保工における支持辺間の距離と略同長に形成した梁部材の左右の両端部に、中間部が当該梁部材に軸止めされ、その軸より先端側が前記支持辺の裏面に係止される掛鉤部に形成されると共に、前記軸より後端側がレバー部に形成された係止部材を、それぞれ設けたことを特徴とする二次覆工用の仮設梁。
【請求項２】
レバー部を回して係止部材の掛鉤部を支保工の支持辺の裏面に係止させた状態において、当該レバー部の旋回を阻止する拘束部材を、前記レバー部の旋回位置に対応させて設けた請求項１の二次覆工用の仮設梁。
【発明の詳細な説明】
【０００１】
【発明の属する技術分野】
本発明は、例えばセグメントなどにより一次覆工された、主としてトンネル内壁を二次覆工する際に使用される二次覆工用パネルの裏面に二次覆工コンクリートを打設するため、前記二次覆工用パネルをその表面側から補強して支持するための仮設梁に関する。
【０００２】
【従来の技術】
従来から、一次覆工されたトンネルの漏水防止対策用などの目的で二次覆工を施すことが行われているが、二次覆工コンクリートを一次覆工面に打設するため、一次覆工面に適宜ピッチで取付けたＨ型鋼などによる支保工に、打設される二次覆工コンクリート用の型枠を兼用して二次覆工外面としてトンネル内に残る二次覆工用パネルを取付け、このパネルの裏面に二次覆工コンクリートを打設することが行われている。なお、このような二次覆工はトンネルに限られず一次覆工された壁面などの構築物に施工されることがあるので、本発明はトンネル以外の構築物の二次覆工に適用できる。
【０００３】
上記の二次覆工においては、二次覆工用の型枠となるパネルを現場で支保工に取付ける作業に時間がかかり、結果として工事期間が長期化してしまうという難点があった。その理由は、支保工に型枠となるパネルをボルト止めしたり、当該パネルが二次覆工用コンクリートの打設によってトンネル内面側に膨出することを防ぐため、そのパネルの外面に仮設の押え梁部材を当てがいこの梁部材を支保工にボルト止めするのに時間がかかるほか、仮設の前記梁部材を支保工から取外すのにも、また手間と時間を要していたからである。
【０００４】
【発明が解決しようとする課題】
本発明は上記のようなトンネルなどの二次覆工に使用されるパネルを補強するための仮設梁部材の着脱形態に起因した問題点、即ち、支保工に対する取付けや取外しに手間と時間がかかるという難点を解消できる着脱構造を具備した、二次覆工用パネルの補強用の仮設梁を提供することをその課題とするものである。
【０００５】
【課題を解決するための手段】
上記課題を解決することを目的としてなされた二次覆工用パネルを補強して支持する本発明仮設梁の構成は、二次覆工用パネルの左右側部を支持している左右の支保工における支持辺間の距離と略同長に形成した梁部材の左右の両端部に、中間部が当該梁部材に軸止めされ、その軸より先端側が前記支持辺の裏面に係止される掛鉤部に形成されると共に、前記軸より後端側がレバー部に形成された係止部材を、それぞれ設けたことを特徴とするものである。
【０００６】
本発明では、前記レバー部を回して係止部材の掛鉤部を支保工の支持辺の裏面に係止させた状態において、当該レバー部の旋回を阻止する拘束部材を、前記レバー部の旋回位置に対応させて設けた構成とする。
【０００７】
本発明において、上記梁部材に設けた左右の係止部材の掛鉤部を、既に取付けられている二次覆工用パネルを通して支保工の支持辺に係止させるため、当該支保工に先に装着されている二次覆工用パネルの前記掛鉤部に対応する部位に、その係止部材が旋回されて支保工の支持辺の裏側に入るための小穴を形成しなければならない。この小穴は、二次覆工コンクリートの打設完了後、仮設した上記梁部材を外した後に、エポキシ樹脂などの充填剤によって埋められる。
【０００８】
【発明の実施の形態】
次に本発明の実施の形態例について、図に拠り説明する。図１は本発明二次覆工用パネルと仮設梁を一次覆工されたトンネルに施工する状態の概略を示した斜視図、図２はパネル補強用の本発明仮設梁の配置状態を示す全体の平断面図、図３は図２におけるＡ部の拡大断面図、図４はパネル補強用の仮設梁の左側（図２のＡ部）における本発明仮設梁の取付第一段階の拡大平断面図、図５は図４に示した部位における仮設梁取付の第二段階の拡大平断面図、図６は仮設梁を除去した後の平断面図、図７は本発明仮設梁の別例の中間を省略した平面図である。
【０００９】
図１において、１は地山Ｅに構築されるトンネルの一次覆工として既に設置されているセグメント、２は前記セグメント１の外面に二次覆工を施工するため、当該セグメント１の外面に沿って設置した平断面Ｉ型鋼（Ｈ鋼を横向きに使う）による支保工で、支保工２の設置間隔は、二次覆工用の型枠を兼用する後述するパネル３の正面幅（左右幅）に見合ったスパンで設置される。２ａ，２ｂは前記支保工２において、当該支保工２の外側に向いた左右の支持辺である。
【００１０】
本発明仮設梁により補強，支持される二次覆工用パネル３としては、本出願人が先に特願２０００−１５６７６８として提案している漏水対策用不燃軽量板を使用することが好ましい。即ち、この不燃軽量板は、不燃性のプラスチック発泡体を芯材と、この芯材を不燃性の繊維強化プラスチック製の外皮材により包むようにして、トンネルの曲面に合せた曲面状に形成したものであるが、二次覆工用パネル３としては、上記例の不燃軽量板に限らず、他の材料，構造により形成された二次覆工用パネルであってもよい。
【００１１】
図２において、本発明二次覆工用パネル３は、左右の支保工２，２の芯々間の距離より少し小さ目の正面幅に形成されたものであり、その裏面に水平方向でほぼ等間隔に平行な３本のリブ状部材４を具備している。リブ状部材４の左，右両側には、左右の支保工２，２における対向した支持辺２ａ，２ｂのほぼ全幅（左右の長さ）をすべて嵌入できる大きさ（深さ）の切欠部４ａ，４ｂが、各支持辺２ａ，２ｂの左右の長さ（全幅）と厚さよりも少し大き目に形成されている。５は前記パネル３と一時覆工面のセグメント１の間に形成された二次覆工用コンクリートが打設される空間である。
【００１２】
上記パネル３は、その左，右の切欠部４ａ，４ｂにおいて、当該切欠部４ａ，４ｂの切欠形状を利用して左右の支保工２，２のそれぞれ互に対向した２つの支持辺２ａ，２ｂに装着される。
【００１３】
ここでは、まず図２のパネル３の右側を、右側の支保工２の支持辺２ｂに対してリブ状部材４の右側の切欠部４ｂが対向するように位置付け、前記支持辺２ｂが切欠部４ｂに入ってしまうようにこのパネル３を押し付ける。
【００１４】
このようにしてパネル３における右側の切欠部４ｂに、右側の支保工４の支持辺２ｂが入り込んでしまうと、リブ状部材４における左側端は、左側の支保工２の支持辺２ａに対して、切欠部４ａが支持辺２ａと同じレベルに位置する。つまり、パネル３の左側の裏面が支保工２の支持辺２ａの前面に当るレベルに配置されることになるのである。そこで、パネル３を少し左側に平行にずらしてやると、左右のバネ５ａ，５ｂの作用により当該パネル３の左右側は、左右の支保工２，２の支持辺２ａ，２ｂに対してほぼ均等な位置関係で保持される。
【００１５】
上記のようにして、各支保工２に二次覆工用の本発明パネル３が装着されて一次覆工面（セグメント１）を覆うと、その一次覆工面と前記パネル３の裏面側の空間５に二次覆工用のコンクリートが裏打ちされるが、図２に示したパネル装着状態で打設すると、コンクリートの打設圧によりパネル３がトンネルの内部側に膨出するおそれがあるので、本発明では、各支保工２に装着されたパネル３を、同じ支保工２に仮設する本発明仮設梁６によって補強，支持する。この点について、図３〜図６を参照しつつ説明する。
【００１６】
図３〜図５に例示した本発明仮設梁６は、ここでは角型鋼管を用い、その左右側を手前側に向けて斜めにカットした平面から見て横長の逆台形状に形成したものを使用しているが、本発明ではこの仮設梁６の材質や形態は例示したものに限られるものではない。
【００１７】
本発明仮設梁６は、左，右両側端の斜めカット部位に、先端側が支保工２における支持辺２ａ，２ｂの裏面に回り込んで当該辺２ａ，２ｂを裏面から挟持する掛鉤部７ａを有すると共に、該掛鉤部７ａより後方部を軸８で梁６の壁面に軸止めし、かつ、該軸８より後方をレバー部７ｂに形成した係止部材７が、それぞれに取付けられている。
【００１８】
上記係止部材７は、その掛鉤部７ａが支持辺２ａ，２ｂの裏面に回り込み、当該掛鉤部７ａにおいて支保工２の支持辺２ａ又は２ｂを挟持するようにレバー部７ｂが軸８を中心に起立（図４から図５の状態に旋回変位）させられたとき、起立した当該レバー部７ｂをその起立位置に拘束するための環状の拘束部材９が、この仮設梁６の前面側の壁６ａの外面に設けられている。なお、９ａは拘束部材９の取付座、９ｂは拘束部材９の先端係止部である。
【００１９】
上記梁６における左右の係止部材７の掛鉤部７ａを、支保工２に装着したパネル３の外面から支保工２の支持辺２ａ，２ｂの裏面側に通すには、当該パネル３の掛鉤部７ａに対応部位に、その掛鉤部７ａが挿通できる空間（穴）を要する。このため本発明では、各パネル３の左，右側において上記掛鉤部７ａに対応する部位に、仮設穴３ａを予め形成しておく。この穴３ａの形態の一例は、掛鉤部７ａの形態に対応して、図３，図４に例示するように先細のテーパ穴であるが、穴３ａの形態はこれに限られず、任意である。
【００２０】
本発明では、上記構成を具備した本発明仮設梁６を、パネル３の一枚当り例えば２本〜３本程度、水平方向で平行にして当該パネル３の前面にほぼ等間隔で当てがい（図１，図２参照）、この状態で左，右の係止部材７のレバー部７ｂを起立させ、この状態を拘束部材９により保持する（図５参照）ことにより、当該左，右の係止部材７，７における掛鉤部７ａ，７ａを左右の支保工２，２のそれぞれの支持辺２ａ，２ｂの裏面に回り込ませてそこに係止させることにより、各仮設梁６をパネル３の前面において支保工２に仮設するのである（図５参照）。
【００２１】
各支保工２に左，右側部において装着された各二次覆工用パネル３が、上記のようにして各仮設梁６により補強された時点で、前記各パネル３の裏面と一次覆工面の間の空間５に二次覆工コンクリートＣｏを打設して養生する。二次覆工コンクリートＣｏの打設，養生が終ると、仮設梁６を除去するのであるが、拘束部材９をレバー部７ｂから外し係止部材７を装着前の元の姿勢に戻すと、各仮設梁６は各パネル３の前面から取り外すことができるが、各係止部材７においてパネル３に設けた穴３ａから二次覆工側に位置していた部分が取り除かれると、この部位には、コンクリートＣｏが打たれていないので空洞ｇが残ることとなる。そこで、本発明では、この空洞ｇの部分に、一例としてエポキシ樹脂などによる充填剤を詰めて固化させることにより、二次覆工を完了することとなる。
【００２２】
図３〜図５により説明した本発明仮設梁６には、図７に例示した別の形態のものがある。図７の本発明仮設梁６は、図３〜図５における仮設梁６とは係止部材７に設けた拘束部材９の形態が異なっている。即ち、図７の本発明仮設梁６では、その梁６の手前側の壁６ａの内面にナット部材９１ａを設け、このナット部材９１ａに、係止部材７のレバー部７ｂに明けた長穴７ｃを通して座金付き頭部９１ｂがストッパとして作用するボルト９１ｃを螺合して成る拘束部材９１が設けられている。
【００２３】
【発明の効果】
以上に説明したように、二次覆工用パネル補強用の本発明仮設梁は、支保工に対してボルト，ナットを一切用いることなく、型鋼などにより形成された支保工の支持辺に、いわばワンタッチ操作的に取付けることができるので、二次覆工用パネルを補強するための仮設梁を、至って省力的かつ容易な作業内容で取付け施工することが可能になる。
【００２４】
また、上記のように省力的かつ容易に取付けた本発明仮設梁は、その取付状態がボルト，ナット以外の部材であって、ワンタッチ操作、或は、簡易な操作による係止部材とその拘束部材を以て機械的に取付状態が拘束されるので、二次覆工コンクリートの打設時に当該仮設梁の取付けが外れるようなおそれは皆無である。
【００２５】
更に、上記のように堅固に取付けられた本発明仮設梁であっても、その取外しは前記係止部材を取付時とは逆方向に回転させる操作をするだけで、取外すことができるから、従来の支保工にボルト止めしていた仮設梁のように、その取外しに多くの労力と時間を要するという問題点を、ほぼ完璧といってよいレベルで解決することができる。
【図面の簡単な説明】
【図１】本発明二次覆工用パネルと仮設梁を一次覆工されたトンネルに施工する状態の概略を示した斜視図
【図２】パネル補強用の本発明仮設梁の配置状態を示す全体の平断面図
【図３】図２におけるＤ部の拡大断面図
【図４】パネル補強用の仮設梁の左側（図２のＡ部）における本発明仮設梁の取付第一段階の拡大平断面図
【図５】図４に示した部位における仮設梁取付の第二段階の拡大平断面図
【図６】仮設梁を除去した後の平断面図
【図７】本発明仮設梁の別例の中間を省略した平面図
【符号の説明】
１　　　　セグメント
２　　　　支保工
２ａ，２ｂ　　支持辺
３　　　　二次覆工用パネル
４　　　　リブ状部材
４ａ，４ｂ　　切欠部
６　　　　仮設梁
７　　　　係止部材
７ａ　　　　掛鉤部
７ｂ　　　　レバー部
８　　　　軸
９　　　　拘束部材
【図１】
2004068520.tif 000003
【図２】
2004068520.tif 000004
【図３】
2004068520.tif 000005
【図４】
2004068520.tif 000006
【図５】
2004068520.tif 000007
【図６】
2004068520.tif 000008
【図７】
2004068520.tif 000009